(57)【要約】  操作を始めて以降でも当該操作をキャンセルすることができ、入力操作の操作性を向上させることができる加熱調理器を得る。  被加熱物を加熱する加熱コイル３と、加熱制御に関する操作の入力を行う操作部６と、入力操作及び制御状態に関する情報を報知する報知部と、操作部６の外縁近傍の少なくとも一部を検知領域とし、該検知領域における指の有無を検知するセンシングデバイスと、操作部６からの入力及びセンシングデバイスの検知結果に基づいて、加熱コイル３及び報知部の少なくとも一方の制御を行う制御部１０とを備えたものである。
2009119644.tif 000002
【特許請求の範囲】
【請求項１】
被加熱物を加熱する加熱部と、
加熱制御に関する操作の入力を行う操作部と、
入力操作及び制御状態に関する情報を報知する報知部と、
前記操作部の外縁近傍の少なくとも一部を検知領域とし、該検知領域における指の有無を検知するセンシングデバイスと、
前記操作部からの入力及び前記センシングデバイスの検知結果に基づいて、前記加熱部及び前記報知部の少なくとも一方の制御を行う制御部と
を備えたことを特徴とする加熱調理器。
【請求項２】
前記制御部は、
前記操作部による入力操作後、所定時間経過前における前記センシングデバイスの検知信号の有無に応じて、前記加熱部及び前記報知部の制御を行うことを特徴とする請求項１記載の加熱調理器。
【請求項３】
前記制御部は、
前記操作部による入力操作後、所定時間経過前に、前記センシングデバイスの検知信号を取得しないとき、前記操作部からの当該入力に基づく制御を行い、
前記操作部による入力操作後、所定時間経過前に、前記センシングデバイスの検知信号を取得したとき、前記操作部からの当該入力に基づく制御を行わないことを特徴とする請求項１又は２記載の加熱調理器。
【請求項４】
前記制御部は、
前記センシングデバイスが検知した指の位置に応じて、前記加熱部及び前記報知部の制御を行うことを特徴とする請求項１〜３の何れかに記載の加熱調理器。
【請求項５】
前記制御部は、
前記センシングデバイスが検知した指の位置に応じて、所定のメッセージ情報を前記報知部に報知させることを特徴とする請求項１〜４の何れかに記載の加熱調理器。
【請求項６】
前記制御部は、
前記センシングデバイスの検知領域を特定するための情報を、前記報知部に報知させることを特徴とする請求項１〜５の何れかに記載の加熱調理器。
【請求項７】
前記報知部は、入力操作及び制御状態に関する情報を表示する表示部を有し、
前記センシングデバイスは、
前記表示部の上に配置され、静電容量の変化により入力操作を検知するタッチスイッチからなることを特徴とする請求項１〜６の何れかに記載の加熱調理器。
【請求項８】
前記操作部は、
複数の操作ボタンからなり、該複数の操作ボタンの内、少なくとも一部の操作ボタンが左右又は上下方向に連続して配置され、
前記制御部は、
前記操作ボタンからの入力、及び当該操作ボタンに隣接する操作ボタンからの入力若しくは前記センシングデバイスの検知結果に基づいて、前記加熱部及び前記報知部の制御を行うことを特徴とする請求項１〜７の何れかに記載の加熱調理器。
【請求項９】
前記センシングデバイスは、連続配置された前記操作ボタンのうち、一方又は両方の端に配置された操作ボタンの並び方向の近傍を、前記検知領域とすることを特徴とする請求項８記載の加熱調理器。
【請求項１０】
被加熱物を加熱する加熱部と、
入力操作及び制御状態に関する情報を報知する報知部と、
複数の操作ボタンからなり、加熱制御に関する操作の入力を行う操作部と、
前記加熱部及び前記報知部の制御を行う制御部と
を備え、
前記操作部は、前記複数の操作ボタンの内、少なくとも一部の操作ボタンが左右又は上下方向に連続して配置され、
前記制御部は、
前記操作ボタンからの入力及び当該操作ボタンに隣接する操作ボタンからの入力に基づいて、前記加熱部及び前記報知部の少なくとも一方の制御を行うことを特徴とする加熱調理器。
【請求項１１】
前記制御部は、
前記操作ボタンによる入力操作後、所定時間経過前における当該操作ボタンに隣接する操作ボタンからの入力の有無に応じて、前記加熱部及び前記報知部の制御を行うことを特徴とする請求項８〜１０の何れかに記載の加熱調理器。
【請求項１２】
前記制御部は、
前記操作ボタンによる入力操作後、第１の所定時間経過前に、当該操作ボタンに隣接する操作ボタンからの入力がないとき、
当該操作ボタンからの入力に基づく制御を行うことを特徴とする請求項８〜１１の何れかに記載の加熱調理器。
【請求項１３】
前記制御部は、
前記操作ボタンによる入力操作後、第１の所定時間経過前に、当該操作ボタンに隣接する操作ボタンからの入力があり、該隣接する操作ボタンの入力操作が前記第１の所定時間経過後まで継続しないとき、
当該操作ボタンからの入力に基づく制御を行うことを特徴とする請求項８〜１２の何れかに記載の加熱調理器。
【請求項１４】
前記制御部は、
前記操作ボタンによる入力操作後、第１の所定時間経過前に、当該操作ボタンに隣接する操作ボタンからの入力があり、該隣接する操作ボタンの入力操作が前記第１の所定時間経過後まで継続し、且つ第２の所定時間経過後まで継続しないとき、
当該操作ボタン及び前記隣接する操作ボタンからの入力に基づく制御を行わないことを特徴とする請求項８〜１３の何れかに記載の加熱調理器。
【請求項１５】
前記制御部は、
前記操作ボタンによる入力操作後、第１の所定時間経過前に、当該操作ボタンに隣接する操作ボタンからの入力があり、該隣接する操作ボタンの入力操作が第２の所定時間経過後まで継続したとき、
前記隣接する操作ボタンからの入力に基づく制御を行うことを特徴とする請求項８〜１４の何れかに記載の加熱調理器。
【請求項１６】
前記制御部は、
前記操作ボタンによる入力操作後、第１の所定時間経過前に、当該操作ボタンに隣接し、当該操作ボタンの操作内容と所定の関連を有する操作ボタンからの入力があり、該隣接する操作ボタンの入力操作が前記第１の所定時間経過後まで継続したとき、
前記隣接する操作ボタンからの入力に基づく制御を行うことを特徴とする請求項８〜１３の何れかに記載の加熱調理器。
【請求項１７】
前記制御部は、
前記操作ボタンによる入力操作後、当該入力に基づく制御を行わないとき、入力操作がキャンセルされた旨を前記報知部に報知させることを特徴とする請求項１〜１６の何れかに記載の加熱調理器。
【請求項１８】
前記制御部は、
前記操作部からの入力が所定時間以上継続したとき、当該入力操作に関する情報を前記報知部に報知させることを特徴とする請求項１〜１７の何れかに記載の加熱調理器。
【請求項１９】
前記報知部は、入力操作及び制御状態に関する情報を表示する表示部を有し、
前記操作部は、
前記表示部の上に配置され、静電容量の変化により入力操作を検知するタッチスイッチからなることを特徴とする請求項１〜１８の何れかに記載の加熱調理器。
【請求項２０】
前記操作部は、２段階に押圧操作される接点スイッチからなり、
前記制御部は、
前記操作部が第１段階に押圧されたときには、当該入力操作に関する情報を前記報知部に報知させ、
前記操作部が第２段階に押圧されたときには、当該入力操作に基づく制御を行うことを特徴とする請求項１〜１９の何れかに記載の加熱調理器。
【請求項２１】
被加熱物を加熱する加熱部と、
入力操作及び制御状態に関する情報を報知する報知部と、
２段階に押圧操作される接点スイッチからなり、加熱制御に関する操作の入力を行う操作部と、
前記加熱部及び前記報知部の制御を行う制御部と
を備え、
前記制御部は、
前記操作部が第１段階に押圧されたときには、当該入力操作に関する情報を前記報知部に報知させ、
前記操作部が第２段階に押圧されたときには、当該入力操作に基づく制御を行うことを特徴とする加熱調理器。
【発明の詳細な説明】
【技術分野】
【０００１】
この発明は、加熱制御に関する操作の入力を行う操作部を有する加熱調理器に関するものである。
【背景技術】
【０００２】
従来、タッチ操作に係る技術として、例えば「…フラグが選択中の状態である場合に、タッチパネル装置の出力するタッチ位置の座標データが、選択中の図形に対応した前記確定用入力座標範囲外になった場合、選択中の図形の選択を中断したものとして前記フラグをクリアすることを特徴とするタッチ操作処理方法。」が提案されている（例えば、特許文献１参照）。【０００３】
【特許文献１】特開平１１−１７５２１２号公報（請求項３）
【発明の開示】
【発明が解決しようとする課題】
【０００４】
従来の加熱調理器においては、操作ボタンに使用者の指が触れた場合又は指が触れた後に離れた場合に当該操作ボタンの機能が選択されてしまうため、一旦操作を始めた以降は、何れかの機能が選択されてしまい、何れの機能も選択しないキャンセル操作を行うことができない、という問題点があった。【０００５】
また、一般に加熱調理器の操作においては、操作内容が理解しやすく、調理操作の流れを損なわずにスムースな操作を行うことができる加熱調理器が望まれている。特に、視覚障害者にとっては顕著である。【０００６】
この発明は、上記のような課題を解決するためになされたもので、操作を始めて以降でも当該操作をキャンセルすることができ、入力操作の操作性を向上させることができる加熱調理器を得ることを目的とする。
【課題を解決するための手段】
【０００７】
この発明に係る加熱調理器は、被加熱物を加熱する加熱部と、加熱制御に関する操作の入力を行う操作部と、入力操作及び制御状態に関する情報を報知する報知部と、前記操作部の外縁近傍の少なくとも一部を検知領域とし、該検知領域における指の有無を検知するセンシングデバイスと、前記操作部からの入力及び前記センシングデバイスの検知結果に基づいて、前記加熱部及び前記報知部の少なくとも一方の制御を行う制御部とを備えたものである。
【発明の効果】
【０００８】
この発明は、操作部からの入力及びセンシングデバイスの検知結果に基づいて、加熱部及び報知部の少なくとも一方の制御を行うことにより、操作を始めて以降でも当該操作をキャンセルすることができ、入力操作の操作性を向上させることができる。
【図面の簡単な説明】
【０００９】
【図１】この発明の実施の形態１に係る加熱調理器の上部外形図である。
【図２】この発明の実施の形態１に係る加熱調理器の内部構造を示す図である。
【図３】この発明の実施の形態１に係る加熱調理器の要部拡大図である。
【図４】この発明の実施の形態１に係る操作部の構成を示す図である。
【図５】この発明の実施の形態１に係る加熱調理器のブロック構成図である。
【図６】この発明の実施の形態１に係る加熱調理器の動作フローチャートである。
【図７】この発明の実施の形態１に係る加熱調理器の入力動作を説明する図である。
【図８】この発明の実施の形態２に係る操作部の構成及び入力動作を説明する図である。
【図９】この発明の実施の形態３に係る付加電極の配置を説明する図である。
【図１０】この発明の実施の形態４に係る操作部の構成を示す図である。
【図１１】この発明の実施の形態４に係る加熱調理器のブロック構成図である。
【図１２】この発明の実施の形態４に係る加熱調理器の動作フローチャートである。
【図１３】この発明の実施の形態４に係る加熱調理器の入力動作を説明する図である。
【図１４】この発明の実施の形態５に係る操作部の構成を示す図である。
【図１５】この発明の実施の形態５に係る加熱調理器の動作フローチャートである。
【図１６】この発明の実施の形態５に係る加熱調理器の入力動作を説明する図である。
【図１７】この発明の実施の形態５に係る加熱調理器の入力動作を説明する図である。
【図１８】この発明の実施の形態６に係る操作部の構成を示す図である。
【図１９】この発明の実施の形態６に係る加熱調理器の動作フローチャートである。
【符号の説明】
【００１０】
１  誘導加熱調理器本体、２  天板、３  加熱コイル、４  加熱口、４ａ  加熱口、４ｂ  加熱口、４ｃ  加熱口、５  表示部、６  操作部、７  窓部、８  付加電極、９  音声出力部、１０  制御部、１１  操作・報知制御部、１２  操作信号検出部、１３  付加電極信号検出部、１４  表示処理部、１５  音声処理部、２０  インバータ、５１  ガイダンス表示、６１  操作ボタン、６１ａ  操作ボタン、６１ｂ  操作ボタン、６２  ２段階接点スイッチ。
【発明を実施するための最良の形態】
【００１１】
実施の形態１．
図１はこの発明の実施の形態１に係る加熱調理器の上部外形図、図２はこの発明の実施の形態１に係る加熱調理器の内部構造を示す図、図３はこの発明の実施の形態１に係る加熱調理器の要部拡大図である。
図１及び図２において、本実施の形態１に係る加熱調理器は、誘導加熱調理器本体１の上面に耐熱性のガラスと金属の枠体で構成する天板２が取り付けられるように構成されている。天板２の表面には、誘導加熱調理器本体１内の加熱コイル３が配設される位置に加熱箇所を示す目的で円形の表示（以下、加熱口４ａ〜４ｃという。）が裏面から印刷されている。天板２の耐熱性ガラスは透明な素材であるが、加熱口以外の部分についても誘導加熱調理器本体１内部が露見しないよう或いは外観の質感向上のためこの天板２は裏面より印刷若しくは塗装されている。加熱口４ａ〜４ｃについては、本実施の形態１では加熱口４ａ及び４ｂは比較的加熱出力を大きく設定した加熱口であり、加熱口４ｃは前述の２つの加熱口に対して比較的加熱出力を小さく設定した加熱口である。【００１２】
また、誘導加熱調理器本体１の上部手前側には、入力操作及び制御状態に関する情報を表示する表示部５（５ａ〜５ｃ）と、加熱制御に関する操作の入力を行う操作部６（６ａ〜６ｃ）とが各加熱口４ごとにそれぞれ設けられている。そして、表示部５に表示される表示内容が天板２の表面より視認可能なように、表示部５と略同じ範囲は天板２の印刷若しくは塗装が成されない構成で透明性を有する窓部７（７ａ〜７ｂ）が設けられる構造になっている。さらに、誘導加熱調理器本体１の前面には、例えばスピーカーなどで構成され、入力操作及び制御状態に関する情報を音声により報知する音声出力部９が配置されている。尚、表示部５及び音声出力部９は、本発明における報知部に相当する。【００１３】
また、誘導加熱調理器本体１の天板２の下部には、加熱部である加熱コイル３が配置され、加熱コイル３へ高周波電流を流し火力制御を行うインバータ２０、このインバータ２０を制御する制御部１０が配置される構成となっている。この制御部１０は、操作部６から入力された設定操作に基づいて、インバータ２０へ制御指令を行うとともに、後述する動作により、表示部５や音声出力部９に対して、制御内容に基づく各種表示指令や音声による報知指令などの報知制御を行う。【００１４】
また、図３に示すように、天板２の窓部７の裏面に、透明性の導電性フィルムなどの電極でタッチスイッチを構成した操作部６を配置し、その下に液晶パネルなどで構成する表示部５を配している。操作部６は、使用者の指などが電極の配置位置に対応する窓部７の上面に接触する際における静電容量の変化により入力操作を検知する。【００１５】
さらに、天板２の窓部７の裏面手前側には、操作部６の外縁近傍の手前側を検知領域とし、該検知領域における使用者の指の有無を検知するセンシングデバイスである付加電極８が設けられている。この付加電極８は、透明性の導電性フィルムなどの電極でタッチスイッチを構成し、使用者の指などが、付加電極８の配置位置に対応する窓部７の上面に接触する際における静電容量の変化により、指の存在を検知する。そして、後述する動作により、使用者がこの付加電極８に触れることにより、操作ボタン６１からの入力操作をキャンセルする。【００１６】
図４はこの発明の実施の形態１に係る操作部の構成を示す図であり、図４（ａ）は操作ボタン及び付加電極の電極エリアを示す図、図４（ｂ）は表示部の表示状態を示す図である。図４（ａ）に示すように、操作部６は、透明性の電極からなる複数の操作ボタン６１を有し、この操作ボタン６１は、左右方向に連続して配置される構成となっている。そして、操作ボタン６１の手前側には、付加電極８が連続一体に配置される構成となっている。尚、付加電極８は、各操作ボタン６１ごとにそれぞれ別個に設けても良い。【００１７】
また、図４（ｂ）に示すように、表示部５の操作ボタン６１に対応する箇所にはボタン表示がなされ、この表示は加熱調理器の制御状態に応じて、例えば操作メニューボタンや火力設定ボタンなど、任意の操作ボタンとして表示する。また、後述する動作により、表示部５の付加電極８に対応する箇所には、付加電極８の電極位置（検知領域）を特定するための表示（ブリンク表示）がなされる。【００１８】
尚、センシングデバイスとして付加電極８を用いる場合を説明するが、本発明はこれに限るものではなく、検知領域における使用者の指の存在を検知できるものであれば良く、例えば発光素子と受光素子とを有するフォトセンサ、超音波方式、カメラ画像方式、温度検知方式など任意の検知方式を用いることができる。【００１９】
図５はこの発明の実施の形態１に係る加熱調理器のブロック構成図である。図５に示すように、制御部１０は、操作・報知制御部１１と、操作部６からの操作信号を検出する操作信号検出部１２と、付加電極８の検知信号を検出して操作・報知制御部１１へ入力する付加電極信号検出部１３と、入力操作及び制御状態に関する情報を表示用の信号に変換して表示部５へ出力する表示処理部１４と、入力操作及び制御状態に関する情報を表示用の信号に変換して表示部５へ出力する表示処理部１４と、入力操作及び制御状態に関する情報を音声用の信号に変換して音声出力部９へ出力する音声処理部１５とから構成されている。このような構成により制御部１０は、操作部６からの入力及び付加電極８の検知結果に基づいて、インバータ２０への加熱制御や、制御内容に基づく各種報知指令を表示部５及び音声出力部９に行う。【００２０】
図６はこの発明の実施の形態１に係る加熱調理器の動作フローチャート、図７はこの発明の実施の形態１に係る加熱調理器の入力動作を説明する図である。以下、本実施の形態１における操作キャンセル動作について、図６に基づき図７を参照しながら説明する。
誘導加熱調理器本体１の主電源（図示せず）が投入されると、各構成部は動作を開始する。制御部１０の操作・報知制御部１１は、例えばメニューボタンなど、所定の操作ボタン６１の表示を表示部５にさせ、操作ボタン６１のセンシングを開始する（Ｓ１０１）。操作信号検出部１２は、操作ボタン６１の静電容量の変化を検出して使用者の指が触れた状態（タッチオン）を検出するとタッチオン信号を操作・報知制御部１１に入力する。【００２１】
操作・報知制御部１１は、タッチオン信号を検出すると（Ｓ１０２）、タイマーカウントを開始する（Ｓ１０３）。そして、所定の経過時間（Ｘ秒：例えば３秒）が経過したか否かを判断し（Ｓ１０４）、タッチオンから所定時間経過したと判断した場合は、当該タッチオン状態の操作ボタン６１の操作内容に関する情報を使用者に報知する（Ｓ１０５）。この報知は、例えば図７（ａ）に示すように、当該操作ボタン６１の機能内容をガイダンス表示５１により拡大表示したり、例えば「カウントアップタイマーです。」などの音声により報知する。【００２２】
ステップＳ１０４でタッチオンから所定時間経過していないと判断した場合、又は上記ステップＳ１０５の後、操作・報知制御部１１は、タッチオンされた操作ボタン６１の指が離れた状態（タッチリリース）か否かを判断する（Ｓ１０６）。操作信号検出部１２は、操作ボタン６１の静電容量の変化を検出してタッチリリースを検出するとタッチリリース信号を操作・報知制御部１１に入力する。【００２３】
操作・報知制御部１１は、タッチリリース信号を検出すると（Ｓ１０６）、タイマーカウントを開始する（Ｓ１０７）。一方、タッチリリース信号が検出されない場合は、上記ステップＳ１０４へ戻り上記動作を繰り返す。【００２４】
次に、操作・報知制御部１１は、タッチリリースから所定の経過時間（Ｚ秒：例えば０．３秒）以内に、付加電極８の検知信号が入力されたか否かを判断する（Ｓ１０８）。所定の経過時間（Ｚ秒）以内に付加電極８の検知信号の入力がない場合は、タッチリリースされた操作ボタン６１からの入力に基づいて、加熱制御や報知制御を行う（Ｓ１０９）。【００２５】
一方、例えば図７（ｂ）に示すように、使用者の指が手前方向にスライドし、付加電極８に指が触れると、付加電極信号検出部１３は電極の検知信号を操作・報知制御部１１に入力し、操作・報知制御部１１は、タッチリリースされた操作ボタン６１からの入力に基づく制御を行わずにキャンセルする（Ｓ１１０）。そして、入力操作がキャンセルされた旨を報知するため、表示部５の付加電極８に相当する範囲をブリンク表示（点滅）させる（Ｓ１１１）。これにより、使用者は入力操作がキャンセルされた旨及び付加電極８の位置を認識することができる。尚、入力操作がキャンセルされた旨の報知は、これに限らず、音声出力部９から、例えば「なにも選択されませんでした。」などの音声により報知しても良い。【００２６】
以上のように本実施の形態においては、操作ボタン６１の手前側に付加電極８を配置し、操作ボタン６１がタッチリリースされた後、所定時間（Ｚ秒）経過前における付加電極８の検知信号の有無に応じて、当該入力に基づく制御の実行又はキャンセルを行うので、操作を始めて以降でも当該操作をキャンセルすることができる。【００２７】
また、付加電極８の検知領域を、操作ボタン６１の外縁近傍の手前側としているので、使用者は操作ボタン６１に触れた後に、指を手前方向に移動させることにより、当該操作ボタン６１の入力操作をキャンセルすることができ、直感的で容易な操作により操作をキャンセルすることができ、操作性を向上させることができる。特に使用者が視覚障害者であってもキャンセル操作を容易に行うことができる。【００２８】
また、付加電極８の検知領域を、操作ボタン６１の外縁近傍の手前側としているので、キャンセル操作の際に指を移動させる方向が加熱口４と逆方向となり、キャンセル操作の際に、使用者の指が加熱口４に載置された被加熱物に接触する可能性を低減することができる。【００２９】
また、入力操作がキャンセルされた場合、表示部５の付加電極８に相当する範囲をブリンク表示するので、使用者は入力操作がキャンセルされた旨及び付加電極８の位置を認識することができ、操作性を向上させることができる。【００３０】
また、タッチオンが所定時間（Ｘ秒）継続した場合、当該操作ボタン６１の機能内容をガイダンス表示５１又は音声により報知するので、使用者は当該操作内容を理解することができ、操作性を向上させることができる。さらに、キャンセル操作がされた場合、入力操作がキャンセルされた旨を報知するので、使用者は当該操作がキャンセルされた旨を理解することができ、操作性を向上させることができる。【００３１】
また、音声により当該操作ボタン６１の機能内容や入力操作がキャンセルされた旨を報知するので、使用者、特に視覚障害を有する使用者は、操作内容を容易に理解することができ、操作に対する安心感を向上させることができる。また、操作内容を理解することができるので、誤操作の可能性を低減することができる。【００３２】
また、付加電極８の検知領域を、操作ボタン６１の外縁近傍とすることにより、例えば鍋などの被加熱物や包丁などの小物が、操作ボタン６１及び付加電極８上に置かれた場合であっても、当該入力操作がキャンセルされ、誤操作の可能性を低減することができる。【００３３】
実施の形態２．
本実施の形態２では、付加電極８の配置位置に応じて、所定のメッセージ情報を表示部５や音声出力部９に報知させるものである。以下、本実施の形態２について、上記実施の形態１との相違点を中心に図８を用いて説明する。尚、上記実施の形態１と同一部分については同一符号を付して、その説明を省略する。【００３４】
図８はこの発明の実施の形態２に係る操作部の構成及び入力動作を説明する図である。図８（ｂ）に示すように、本実施の形態２における付加電極８は、上述した実施の形態１の構成に加え、操作ボタン６１の加熱口４側に更に設けられている。そして、上記実施の形態１と同様に、付加電極８の配置位置に対応する窓部７の上面に接触する際における静電容量の変化により、指の存在を検知する。その他の構成は上記実施の形態１と同様である。このような構成により本実施の形態２においては、上記実施の形態１の動作に加えて次の動作を行う。【００３５】
図８に示すように、使用者の指が操作ボタン６１をタッチオンした後、指が加熱口４方向に移動して、加熱口４側の付加電極８に触れると、付加電極信号検出部１３は当該電極の検知信号を操作・報知制御部１１に入力する。そして、操作・報知制御部１１は、加熱口４側の付加電極８の検知信号が入力されると、上記実施の形態１と同様にキャンセル動作（Ｓ１１０）を行うと共に、所定のメッセージ情報を音声出力部９や表示部５に報知させる。【００３６】
例えば、音声や表示により、加熱制御中にあっては「高温エリアに注意してください。」などや、当該加熱制御状態を提示する「火力４で加熱中です。」などの報知を行う。また例えば、操作ボタン６１の操作機能に関する情報として、メニュー表示中には「メニュー画面です。」などの報知や「操作エリアを外れました。」などの報知を行う。【００３７】
以上のように本実施の形態においては、上記実施の形態１の効果に加え、付加電極８の配置位置に応じて、所定のメッセージ情報を表示部５や音声出力部９に報知させるので、使用者の指が移動した方向に応じて所定の情報を使用者に報知することができる。これにより、加熱口４の方向に指が移動した場合などに、使用者に注意を促すことができ、使用者の指が加熱口４に載置された被加熱物に接触する可能性を低減することができる。【００３８】
尚、本実施の形態２では、上記実施の形態１の構成に加えて加熱口４側に付加電極８を設ける場合を説明したが、これに限らず、付加電極８を加熱口４側のみ設ける構成としても良い。【００３９】
実施の形態３．
上記実施の形態１又は２では、付加電極８を操作ボタン６１の手前側又は加熱口４側に配置した場合を説明したが、付加電極８は、操作部６の外縁近傍の少なくとも一部を検知領域とするものであれば良い。【００４０】
図９はこの発明の実施の形態３に係る付加電極の配置を説明する図である。
例えば図９（ａ）に示すように操作部６の前後を検知領域とするように配置しても良いし、例えば図９（ｂ）に示すように操作部６の左右を検知領域とするように配置しても良い。また例えば図９（ｃ）に示すように操作部６の外縁を全て囲む範囲を検知領域として配置しても良いし、例えば図９（ｄ）に示すように、操作ボタン６１の手前側及び右側を検知領域として配置しても良い。その他の任意の配置をすることができ、これら任意に配置された付加電極８により、上述した実施の形態１又は２と同様の動作により、入力操作のキャンセル、又は所定のメッセージ情報を報知する動作を行うようにしても良い。
また、付加電極８の位置、即ち検知した指の位置に応じて、入力操作のキャンセル及びメッセージ情報の報知の両方又は何れか一方を行うようにしても良い。
このような構成によっても上述した実施の形態１又は２と同様の効果を得ることができる。【００４１】
実施の形態４．
上記実施の形態１〜３では、付加電極８により入力操作のキャンセル又はメッセージ情報の報知を行ったが、本実施の形態４では、複数の操作ボタン６１の内、隣接する操作ボタン６１を操作することにより、入力操作のキャンセルをする。以下、本実施の形態４について、上記実施の形態１との相違点を中心に図１０〜図１３を用いて説明する。尚、上記実施の形態１と同一部分については同一符号を付して、その説明を省略する。【００４２】
図１０はこの発明の実施の形態４に係る操作部の構成を示す図であり、図１０（ａ）は操作ボタン及び付加電極の電極エリアを示す図、図１０（ｂ）は表示部の表示状態を示す図である。図１０に示すように、操作部６は、透明性の電極からなる複数の操作ボタン６１を有し、この操作ボタン６１は、左右方向に連続して配置される構成となっている。そして、本実施の形態４では、上述した付加電極８を設けない構成となっている。【００４３】
図１１はこの発明の実施の形態４に係る加熱調理器のブロック構成図である。図１１に示すように、制御部１０は、操作・報知制御部１１と、操作部６からの操作信号を検出する操作信号検出部１２と、入力操作及び制御状態に関する情報を表示用の信号に変換して表示部５へ出力する表示処理部１４と、入力操作及び制御状態に関する情報を表示用の信号に変換して表示部５へ出力する表示処理部１４と、入力操作及び制御状態に関する情報を音声用の信号に変換して音声出力部９へ出力する音声処理部１５とから構成されている。このような構成により制御部１０は、操作ボタン６１からの入力及び当該操作ボタン６１に隣接する操作ボタン６１からの入力に基づいて、インバータ２０への加熱制御や制御内容に基づく各種報知指令を表示部５及び音声出力部９に行う。【００４４】
図１２はこの発明の実施の形態４に係る加熱調理器の動作フローチャート、図１３はこの発明の実施の形態４に係る加熱調理器の入力動作を説明する図である。以下、本実施の形態４における操作キャンセル動作について、図１２に基づき図１３を参照しながら説明する。
誘導加熱調理器本体１の主電源（図示せず）が投入されると、各構成部は動作を開始する。制御部１０の操作・報知制御部１１は、例えばメニューボタンなど、所定の操作ボタン６１の表示を表示部５にさせ、操作ボタン６１のセンシングを開始する（Ｓ２０１）。
操作信号検出部１２は、各操作ボタン６１の静電容量の変化を検出して使用者の指が触れた状態（タッチオン）を検出すると、当該操作ボタン６１（以下「タッチ１」という。）のタッチオン信号を操作・報知制御部１１に入力する。【００４５】
操作・報知制御部１１は、タッチ１オン信号を検出すると（Ｓ２０２）、タイマーカウントを開始する（Ｓ２０３）。そして、所定の経過時間（Ｘ秒：例えば３秒）が経過したか否かを判断し（Ｓ２０４）、タッチオンから所定時間経過したと判断した場合は、当該タッチオン状態の操作ボタン６１の操作内容に関する情報を使用者に報知する（Ｓ２０５）。この報知は、例えば図１３（ａ）に示すように、当該操作ボタン６１の機能内容をガイダンス表示５１により拡大表示したり、例えば「カウントアップタイマーです。」などの音声により報知する。【００４６】
ステップＳ２０４でタッチオンから所定時間経過していないと判断した場合、又は上記ステップＳ２０５の後、操作・報知制御部１１は、タッチオンされた操作ボタン６１の指が離れた状態（タッチリリース）か否かを判断する（Ｓ２０６）。
操作信号検出部１２は、操作ボタン６１の静電容量の変化を検出してタッチ１のリリースを検出するとタッチリリース信号を操作・報知制御部１１に入力する。【００４７】
操作・報知制御部１１は、タッチリリース信号を検出すると（Ｓ２０６）、タイマーカウントを開始する（Ｓ２０７）。一方、タッチリリース信号が検出されない場合は、上記ステップＳ２０４へ戻り上記動作を繰り返す。【００４８】
次に、操作・報知制御部１１は、タッチ１リリースから第１の所定時間（Ｚ秒：例えば０．３秒）以内に、タッチ１を検知した操作ボタン６１に隣接する操作ボタン６１（以下「タッチ２」という。）のタッチ２オン信号が入力されるか否かを判断し（Ｓ２０８）、第１の所定時間（Ｚ秒）以内にタッチ２オン信号が入力されない場合は、タッチ１による操作ボタン６１の入力に基づいて、加熱制御や制御内容に基づく各種表示指令を行う（Ｓ２１０）。【００４９】
一方、第１の所定時間（Ｚ秒）以内にタッチ２オン信号が入力された場合、タッチ２のリリース信号が第１の所定時間（Ｚ秒）が経過する迄に入力されたか否かを判断する（Ｓ２０９）。第１の所定時間（Ｚ秒）以内にタッチ２リリース信号が入力された場合は、タッチ１による操作ボタン６１の入力に基づいて、加熱制御や制御内容に基づく各種表示指令を行う（Ｓ２１０）。これにより、タッチ１をリリースする際に、指がタッチ２（隣接する操作ボタン６１）にずれて、瞬間的（例えば０．３秒以内）にタッチ２のオン信号及びリリース信号が入力された場合などは、タッチ１の機能が実行されることとなる。【００５０】
ステップＳ２０９において、第１の所定時間（Ｚ秒）以内にタッチ２リリース信号が入力されない場合は、第２の所定時間（Ｐ秒：例えば３秒）以内にタッチ２リリース信号が入力されたか否かを判断する（Ｓ２１１）。
第２の所定時間（Ｐ秒）以内にタッチ２リリース信号が入力された場合、即ち、タッチ２の入力操作が第１の所定時間（Ｚ秒）経過後まで継続し、且つ第２の所定時間（Ｐ秒）経過後まで継続しないとき、タッチ１及びタッチ２に係る操作ボタン６１からの入力に基づく制御を行わずにキャンセルし（Ｓ２１２）、入力操作がキャンセルされた旨を表示部５又は音声出力部９により報知する（Ｓ２１３）。例えば「なにも選択されませんでした。」などの表示や音声を報知する。【００５１】
一方、第２の所定時間（Ｐ秒）以内にタッチ２リリース信号が入力されない場合、即ち、タッチ２の入力操作が第２の所定時間（Ｐ秒）経過後まで継続したとき、タッチ２に係る操作ボタン６１による入力操作が行われたものとして、センシングを開始し（Ｓ２１４）、当該タッチオン状態の操作ボタン６１の操作内容に関する情報を使用者に報知する（Ｓ２１５）。そして、ステップＳ２０６に戻り、タッチ２のリリース信号を検知し、当該タッチ２に隣接する操作ボタン６１を新たなタッチ２の操作ボタン６１として、上述した動作を繰り返す。【００５２】
このような動作により、使用者が例えば図１３（ｂ）に示す「カウントアップタイマー」の操作ボタン６１ａに触れた後、隣接する「煮込み」の操作ボタン６１ｂに指を移動させ、第１の所定時間経過後から第２の所定時間経過前まで（Ｚ秒からＰ秒までの間）に操作ボタン６１ｂをリリースすると、何れの入力操作もキャンセルされる。
そして、第２の所定時間経過後まで入力操作を継続すると、「煮込み」の操作ボタン６１ｂのセンシングを開始して、当該操作ボタン６１ｂの機能内容をガイダンス表示５１により拡大表示したり、例えば「煮込みです。」などの音声により報知し、使用者は操作ボタン６１ｂのセンシングが開始された旨を認識することが可能となる。【００５３】
以上のように本実施の形態においては、操作ボタン６１がタッチリリースされた後、当該操作ボタン６１の入力操作の有無に応じて、当該入力に基づく制御の実行又はキャンセルを行うので、操作を始めて以降でも当該操作をキャンセルすることができる。【００５４】
また、使用者は操作ボタン６１に触れた後に、指を隣接する操作ボタン６１に移動させることにより、当該操作ボタン６１の入力操作をキャンセルすることができ、直感的で容易な操作により操作をキャンセルすることができ、操作性を向上させることができる。特に使用者が視覚障害者であってもキャンセル操作を容易に行うことができる。【００５５】
また、操作ボタン６１がタッチリリースされた後、第１の所定時間（Ｚ秒）経過までに隣接する操作ボタン６１のタッチオン及びタッチリリースがなされた場合、隣接する操作ボタン６１の操作を行わずに、当該操作ボタン６１の機能を実行するので、操作ボタン６１をリリースする際に、隣接する操作ボタン６１に瞬間的に触れた場合の誤操作を防止することでき、操作性を向上させることができる。例えば操作ボタン６１の大きさが指に対して小さいときは特に有効である。【００５６】
また、操作ボタン６１がタッチリリースされた後、第２の所定時間（Ｐ秒）経過後まで、隣接する操作ボタン６１のタッチオン状態が継続すると、当該隣接する操作ボタン６１のセンシングを開始するので、使用者が意図して隣接する操作ボタン６１を選択した場合においては、当該隣接する操作ボタン６１の機能を実行することができ、操作性を向上させることができる。【００５７】
また、タッチオンが所定時間（Ｘ秒）継続した場合、当該操作ボタン６１の機能内容をガイダンス表示５１又は音声により報知するので、使用者は当該操作内容を理解することができ、操作性を向上させることができる。さらに、キャンセル操作がされた場合、入力操作がキャンセルされた旨を報知するので、使用者は当該操作がキャンセルされた旨を理解することができ、操作性を向上させることができる。【００５８】
また、音声により当該操作ボタン６１の機能内容や入力操作がキャンセルされた旨を報知するので、使用者、特に視覚障害を有する使用者は、操作内容を容易に理解することができ、操作に対する安心感を向上させることができる。また、操作内容を理解することができるので、誤操作の可能性を低減することができる。【００５９】
実施の形態５．
本実施の形態５では、上記実施の形態１〜３で説明した付加電極８の検知信号と、上記実施の形態４で説明した隣接する操作ボタン６１からの入力に基づいて、加熱制御及び報知制御を行うものである。以下、本実施の形態５について、上記実施の形態１及び４との相違点を中心に図１４〜図１７を用いて説明する。尚、上記実施の形態１又は４と同一部分については同一符号を付して、その説明を省略する。【００６０】
図１４はこの発明の実施の形態５に係る操作部の構成を示す図であり、図１４（ａ）は操作ボタン及び付加電極の電極エリアを示す図、図１４（ｂ）は表示部の表示状態を示す図である。図１４（ａ）に示すように、操作部６は、透明性の電極からなる複数の操作ボタン６１を有し、この操作ボタン６１は、左右方向に連続して配置される構成となっている。そして、本実施の形態５では、連続配置される操作ボタン６１に両端に配置された操作ボタン６１の並び方向の近傍に、付加電極８が配置される構成となっている。その他の構成は上記実施の形態１と同様である。
尚、本実施の形態５では、両端の近傍に付加電極８が配置される場合を説明するが、これに限らず、何れか一方の端に付加電極８を配置する構成としても良い。【００６１】
図１５はこの発明の実施の形態５に係る加熱調理器の動作フローチャート、図１６及び図１７はこの発明の実施の形態５に係る加熱調理器の入力動作を説明する図である。以下、本実施の形態５における操作キャンセル動作について、図１５に基づき図１６及び図１７を参照しながら説明する。
誘導加熱調理器本体１の主電源（図示せず）が投入されると、各構成部は動作を開始する。制御部１０の操作・報知制御部１１は、例えばメニューボタンなど、所定の操作ボタン６１の表示を表示部５にさせ、操作ボタン６１のセンシングを開始する（Ｓ３０１）。
操作信号検出部１２は、操作ボタン６１の静電容量の変化を検出して使用者の指が触れた状態（タッチオン）を検出するとタッチオン信号を操作・報知制御部１１に入力する。【００６２】
操作・報知制御部１１は、タッチオン信号を検出すると（Ｓ３０２）、タイマーカウントを開始する（Ｓ３０３）。そして、所定の経過時間（Ｘ秒：例えば３秒）が経過したか否かを判断し（Ｓ３０４）、タッチオンから所定時間経過したと判断した場合は、当該タッチオン状態の操作ボタン６１の操作内容に関する情報を使用者に報知する（Ｓ３０５）。この報知は、当該操作ボタン６１の機能内容をガイダンス表示５１により拡大表示したり、例えば「カウントアップタイマーです。」などの音声により報知する。【００６３】
ステップＳ３０４でタッチオンから所定時間経過していないと判断した場合、又は上記ステップＳ３０５の後、操作・報知制御部１１は、タッチオンされた操作ボタン６１の指が離れた状態（タッチリリース）か否かを判断する（Ｓ３０６）。
操作信号検出部１２は、操作ボタン６１の静電容量の変化を検出してタッチ１のリリースを検出するとタッチリリース信号を操作・報知制御部１１に入力する。【００６４】
操作・報知制御部１１は、タッチリリース信号を検出すると（Ｓ３０６）、タイマーカウントを開始する（Ｓ３０７）。一方、タッチリリース信号が検出されない場合は、上記ステップＳ３０４へ戻り上記動作を繰り返す。【００６５】
次に、操作・報知制御部１１は、タッチリリースから第１の所定時間（Ｚ秒：例えば０．３秒）以内に、付加電極８の検知信号が入力されたか、又はタッチオン信号を検知した操作ボタン６１に隣接する操作ボタン６１（以下、単に「隣接ボタン」という。）のタッチオン信号が入力されるか否かを判断する（Ｓ３０８）。【００６６】
ステップＳ３０８で、第１の所定の経過時間（Ｚ秒）以内に付加電極８の検知信号の入力がなく、且つ隣接ボタンのタッチオン信号の入力がない場合は、タッチリリースされた操作ボタン６１からの入力に基づいて、加熱制御や報知制御を実行する（Ｓ３０９）。【００６７】
また、ステップＳ３０８で、第１の所定の経過時間（Ｚ秒）以内に付加電極８の検知信号の入力がある場合、操作・報知制御部１１は、タッチリリースされた操作ボタン６１からの入力に基づく制御を行わずにキャンセルする（Ｓ３１１）。例えば図１６に示すように、連続配置された端部の操作ボタン６１に触れ、使用者の指が右方向にスライドし、付加電極８に指が触れると、入力操作がキャンセルされる。そして、入力操作がキャンセルされた旨を報知するため、表示部５の付加電極８に相当する範囲をブリンク表示（点滅）させる（Ｓ３１２）。これにより、使用者は入力操作がキャンセルされた旨及び付加電極８の位置を認識することができる。尚、入力操作がキャンセルされた旨の報知は、これに限らず、音声出力部９から、例えば「なにも選択されませんでした。」などの音声により報知しても良い。【００６８】
また、ステップＳ３０８で、隣接ボタンのタッチオン信号の入力があった場合、操作・報知制御部１１は、タッチリリースされた操作ボタン６１の操作内容と隣接ボタンの操作内容とに関連性（連続性）があるか否かを判断する（Ｓ３１０）。この関連性の判断は、例えば図１７（ａ）に示すように、表示部５にメニュー表示などを行い、隣接する操作ボタン６１の操作内容が別の操作であり、連続して入力操作を行うことを想定していない表示の際には、関連性はないと判断する。一方、例えば図１７（ｂ）に示すように、表示部５に火力調節表示などを行い、隣接する操作ボタン６１の操作が、連続して入力されることが想定される表示の際には、関連性（連続性）があると判断する。【００６９】
ステップＳ３１０で関連性がないと判断した場合は、タッチリリースされた操作ボタン６１及び隣接ボタンからの入力に基づく制御を行わずにキャンセルし（Ｓ３１１）、入力操作がキャンセルされた旨を報知する（Ｓ３１２）。一方、ステップＳ３１０で関連性があると判断した場合は、ステップＳ３０３に戻り、当該隣接ボタンのタッチオン信号を新たなタッチオン信号として、上述した動作を繰り返す。【００７０】
尚、ステップＳ３１０で、隣接ボタンの関連性がないと判断した場合には、上述した実施の形態４のステップＳ２０９〜Ｓ２１５と同様の動作により、隣接ボタンによるキャンセル動作を行うようにしても良い。【００７１】
このような動作により、例えば図１６に示すように、連続配置された操作ボタン６１の端部を操作して、隣接ボタンがない場合であっても、付加電極８により操作をキャンセルすることができ、また、図１７（ａ）に示すように、隣接ボタンの操作に関連性がない場合は、隣接ボタンにより操作をキャンセルすることができ、さらに、図１７（ｂ）に示すように、隣接ボタンの操作に関連性がある場合は、隣接ボタンにより操作をキャンセルすることなく入力操作を行うことができる。【００７２】
以上のように本実施の形態においては、上記実施の形態１〜４と同様の効果を得ることができる。更に、隣接ボタンの入力操作がされたとき、隣接ボタンの関連性の有無に応じて、入力操作のキャンセル又は隣接ボタンからの入力操作を行うので、例えば火力調節表示など、隣接ボタンが連続して入力される場合には、隣接ボタンからの入力操作を行うことができ、操作性を向上させることができる。【００７３】
また、両端に配置された操作ボタン６１の並び方向の近傍に、付加電極８を配置しているので、連続配置された操作ボタン６１の端部を操作して、隣接ボタンがない場合であっても、使用者がキャンセル操作を行う際に指を移動する方向を変えることなく、付加電極８により操作をキャンセルすることができ、操作性を向上させることができる。【００７４】
尚、上記実施の形態１〜５では、操作部６は、静電容量の変化により入力操作を検知するタッチスイッチを用いる場合を説明したが、本発明はこれに限るものではなく、任意の操作ボタンを用いることができ、例えばメンブレンシートを用いた接点ボタンでも良い。この場合、操作部６は天板２の上面に配置する。【００７５】
実施の形態６．
上記実施の形態１〜５では、操作部６に静電容量の変化を検出するタッチスイッチを用いる場合を説明したが、本実施の形態６では、２段階に押圧操作される接点スイッチからなる操作部６を用いる場合を説明する。以下、本実施の形態６について、上記実施の形態１及び４との相違点を中心に図１８及び図１９を用いて説明する。尚、上記実施の形態１又は４と同一部分については同一符号を付して、その説明を省略する。【００７６】
図１８はこの発明の実施の形態６に係る操作部の構成を示す図である。図１８に示すように、上記実施の形態１〜５のタッチスイッチに代え、操作部６は天板２の窓部７の上面手前側に配置され、２段階に押圧操作される２段階接点スイッチ６２から構成される。そして、本実施の形態６では、上述した付加電極８を設けない構成となっている。また、制御部１０の構成は上記実施の形態４（図１１）と同様である。その他の構成は上記実施の形態１と同様である。【００７７】
この２段階接点スイッチ６２は、押圧力又は押圧のストロークに応じて、押圧力が軽い又はストロークが短い第１段階と、押圧力が強い又は押圧のストロークが長い第２段階との接点信号が、制御部１０に入力される。そして制御部１０の操作信号検出部１２は、この第１段階の入力信号と第２段階の入力信号と操作・報知制御部１１に入力する。【００７８】
図１９はこの発明の実施の形態６に係る加熱調理器の動作フローチャートである。以下、本実施の形態６における操作キャンセル動作について、図１９に基づき説明する。
誘導加熱調理器本体１の主電源（図示せず）が投入されると、各構成部は動作を開始する。制御部１０の操作・報知制御部１１は、２段階接点スイッチ６２のセンシングを開始する（Ｓ４０１）。操作信号検出部１２は、２段階接点スイッチ６２が第１段階に押圧されると、当該第１段階の入力信号を操作・報知制御部１１に入力する。【００７９】
操作・報知制御部１１は、第１段階の入力信号を検出すると（Ｓ４０２）、タイマーカウントを開始する（Ｓ４０３）。そして、所定の経過時間（Ｘ秒：例えば０．５秒）が経過したか否かを判断し（Ｓ４０４）、第１段階のオン操作から所定時間経過したと判断した場合は、当該第１段階の２段階接点スイッチ６２の操作内容に関する情報を使用者に報知する（Ｓ４０５）。この報知は、当該操作ボタン６１の機能内容を表示部５に表示したり、音声により報知する。【００８０】
ステップＳ４０４で第１段階のオン操作から所定時間経過していないと判断した場合、又は上記ステップＳ４０５の後、操作・報知制御部１１は、第１段階の入力信号がオフされたか否かを判断する（Ｓ４０６）。つまり、第１段階の押圧状態から使用者の指が離れる第１段階の入力信号がオフされる。第１段階の入力信号がオフでない場合、当該２段階接点スイッチ６２の第２段階の入力信号の有無を判断する（Ｓ４０７）。第２段階の入力信号の入力がない場合は、上記ステップＳ４０４へ戻り上記動作を繰り返す。【００８１】
一方で、第２段階の入力信号を検知した場合、当該２段階接点スイッチ６２からの入力に基づいて、加熱制御や報知制御を行う（Ｓ４０９）。【００８２】
ステップＳ４０６で、第１段階の入力信号がオフされた場合、操作・報知制御部１１は、第１段階に操作された２段階接点スイッチ６２からの入力に基づく制御を行わずにキャンセルする（Ｓ４０７）。そして、入力操作がキャンセルされた旨を表示部５や音声出力部９により報知する（Ｓ４０８）。【００８３】
以上のように本実施の形態においては、２段階接点スイッチ６２が第１段階に押圧されたときには、当該入力操作に関する情報を報知させ、２段階接点スイッチ６２が第２段階に押圧されたときには、当該入力操作に基づく制御を行うので、第１段階の操作を始めて以降でも当該操作をキャンセルすることができる。【００８４】
また、第１段階の操作が所定時間（Ｘ秒）継続した場合、当該２段階接点スイッチ６２の機能内容をガイダンス表示又は音声により報知するので、使用者は当該操作内容を理解することができ、操作性を向上させることができる。さらに、キャンセル操作がされた場合、入力操作がキャンセルされた旨を報知するので、使用者は当該操作がキャンセルされた旨を理解することができ、操作性を向上させることができる。【００８５】
また、音声により当該２段階接点スイッチ６２の機能内容や入力操作がキャンセルされた旨を報知するので、使用者、特に視覚障害を有する使用者は、操作内容を容易に理解することができ、操作に対する安心感を向上させることができる。また、操作内容を理解することができるので、誤操作の可能性を低減することができる。【００８６】
尚、上記実施の形態１〜６では、加熱部としての加熱コイル３に高周波電流を流して誘導加熱を行う誘導加熱調理器について説明したが、本発明はこれに限らず、例えば電気抵抗体等の加熱体により天板２上に載置された被加熱物を加熱するようにしても良いし、ガスを熱源として被加熱物を加熱するようにしても良い。
【図１】
2009119644.tif 000003
【図２】
2009119644.tif 000004
【図３】
2009119644.tif 000005
【図４】
2009119644.tif 000006
【図５】
2009119644.tif 000007
【図６】
2009119644.tif 000008
【図７】
2009119644.tif 000009
【図８】
2009119644.tif 000010
【図９】
2009119644.tif 000011
【図１０】
2009119644.tif 000012
【図１１】
2009119644.tif 000013
【図１２】
2009119644.tif 000014
【図１３】
2009119644.tif 000015
【図１４】
2009119644.tif 000016
【図１５】
2009119644.tif 000017
【図１６】
2009119644.tif 000018
【図１７】
2009119644.tif 000019
【図１８】
2009119644.tif 000020
【図１９】
2009119644.tif 000021
【国際調査報告】
2009119644.tif 000022
2009119644.tif 000023
2009119644.tif 000024
2009119644.tif 000025